(57)【要約】【課題】猫やカラスなどの鳥獣の侵入を効果的に防止することができるごみ収納ボックス及び鳥獣進入防止装置を提供する。【解決手段】台座３と、この台座３上に設けられ少なくとも前面が開放されたごみ収納部４とを備えたごみ収納ボックスであって、前記ごみ収納部４内に収納されたごみ６を狙う鳥獣を検知するセンサ５２ａ，５２ｂと、該センサからの検知信号に基づいて鳥獣を威嚇する威嚇装置５１とをさらに備え、前記センサ５２ａ，５２ｂと前記威嚇装置５１とは、前記台座３に取り付けられていることを特徴とするごみ収納ボックス。【選択図】　　　　図１
2004135525.tif 000002
【特許請求の範囲】
【請求項１】
内部にごみを収納可能なごみ収納部を備えたごみ収納ボックスであって、
前記ごみ収納部内に収納されたごみを狙う鳥獣を検知するセンサと、このセンサからの検知信号に基づいて鳥獣を威嚇する威嚇装置とをさらに備えたことを特徴とするごみ収納ボックス。
【請求項２】
台座部と、この台座部上に設けられ少なくとも前面が開放されたごみ収納部とを備えたごみ収納ボックスであって、
前記ごみ収納部内に収納されたごみを狙う鳥獣を検知するセンサと、該センサからの検知信号に基づいて鳥獣を威嚇する威嚇装置とをさらに備え、
前記センサと前記威嚇装置とは、前記台座部に取り付けられていることを特徴とするごみ収納ボックス。
【請求項３】
請求項２に記載のごみ収納ボックスにおいて、
前記センサは、前記台座部に、地表面からの高さを異ならせてそれぞれの高さにおいて少なくとも１つずつ取り付けられ、
これらそれぞれぞれの高さに取り付けられたそれぞれのセンサによる検知信号に基づいて前記威嚇装置の動作を制御することを特徴とするごみ収納ボックス。
【請求項４】
請求項３に記載のごみ収納ボックスにおいて、
前記センサは、前記台座部の横幅方向に沿って複数個取り付けられていることを特徴とするごみ収納ボックス。
【請求項５】
請求項２〜４のいずれかに記載のごみ収納ボックスにおいて、
前記センサの他に、前記ごみ収納部の開放面及び／又は内部を検知範囲とする第２のセンサを備えたことを特徴とするごみ収納ボックス。
【請求項６】
請求項２〜５のいずれかに記載のごみ収納ボックスにおいて、
前記威嚇装置は、前記台座部の前面に取付けられていることを特徴とするごみ収納ボックス。
【請求項７】
請求項６に記載のごみ収納ボックスにおいて、
前記威嚇装置は、前記台座部の横幅方向に沿って複数個取り付けられていることを特徴とするごみ収納ボックス。
【請求項８】
請求項１〜７のいずれかに記載のごみ収納ボックスにおいて、
前記威嚇装置は、威嚇対象とする鳥獣の嫌う周波数の超音波を発生する超音波発生装置であることを特徴とするごみ収納ボックス。
【請求項９】
請求項８に記載のごみ収納ボックスにおいて、
前記超音波発生装置は、複数種類の周波数の超音波を発振可能であることを特徴とするごみ収納ボックス。
【請求項１０】
請求項１〜７のいずれかに記載のごみ収納ボックスにおいて、
前記威嚇装置は、威嚇対象とする鳥獣の嫌う周波数の超音波を発生する超音波笛であることを特徴とするごみ収納ボックス。
【請求項１１】
請求項１０に記載のごみ収納ボックスにおいて、
前記超音波笛は、圧縮空気発生器からの圧縮空気を受けて動作することを特徴とするごみ収納ボックス。
【請求項１２】
請求項１〜７のいずれかに記載のごみ収納ボックスにおいて、
前記威嚇装置は、威嚇対象とする鳥獣の嫌う周波数の超音波を発生するオルゴールであることを特徴とするごみ収納ボックス。
【請求項１３】
請求項８又は９に記載のごみ収納ボックスにおいて、
前記超音波発生装置の他に、光発生手段、音声発生手段及び放水手段の少なくとも１つからなる第２の威嚇装置をさらに備えたことを特徴とするごみ収納ボックス。
【請求項１４】
請求項１〜１３のいずれかに記載のごみ収納ボックスにおいて、
前記センサは赤外線センサ又は超音波センサであることを特徴とするごみ収納ボックス。
【請求項１５】
請求項１〜１４のいずれかに記載のごみ収納ボックスにおいて、
商用電源を利用可能とする電源装置をさらに備えたことを特徴とするごみ収納ボックス。
【請求項１６】
請求項１５に記載のごみ収納ボックスにおいて、
太陽電池及び充電器をさらに備えたことを特徴とするごみ収納ボックス。
【請求項１７】
台座部と、この台座部に取り付けられたポールと、このポールの所定高さに取付けられた鳥獣浸入防止ユニットとを備え、
この鳥獣侵入防止ユニットは、ごみ収集場所に置かれたごみを狙う鳥獣を検知するセンサと、該センサからの検知信号に基づいて鳥獣を威嚇する威嚇装置とを有することを特徴とする鳥獣浸入防止装置。
【請求項１８】
請求項１７に記載の鳥獣浸入防止装置において、
前記威嚇装置は、威嚇対象とする鳥獣の嫌う周波数の超音波を発生する超音波発生装置であることを特徴とする鳥獣浸入防止装置。
【請求項１９】
請求項１８に記載の鳥獣浸入防止装置において、
前記超音波発生装置は、複数種類の周波数の超音波を発振可能であることを特徴とする鳥獣浸入防止装置。
【請求項２０】
請求項１７に記載の鳥獣浸入防止装置において、
前記威嚇装置は、威嚇対象とする鳥獣の嫌う周波数の超音波を発生する超音波笛であることを特徴とする鳥獣浸入防止装置。
【請求項２１】
請求項２０に記載の鳥獣浸入防止装置において、
前記超音波笛は、圧縮空気発生器からの圧縮空気を受けて動作することを特徴とする鳥獣浸入防止装置。
【請求項２２】
請求項１７に記載の鳥獣浸入防止装置において、
前記威嚇装置は、威嚇対象とする鳥獣の嫌う周波数の超音波を発生するオルゴールであることを特徴とする鳥獣浸入防止装置。
【請求項２３】
請求項１８又は１９に記載の鳥獣浸入防止装置において、前記超音波発生装置の他に、光発生手段、音声発生手段及び放水手段の少なくとも１つからなる第２の威嚇装置をさらに備えたことを特徴とする鳥獣浸入防止装置。
【請求項２４】
請求項１７〜２３に記載の鳥獣浸入防止装置において、
商用電源を利用可能とする電源装置をさらに備えたことを特徴とする鳥獣浸入防止装置。
【請求項２５】
請求項２４に記載の鳥獣浸入防止装置において、
太陽電池及び充電器をさらに備えたことを特徴とする鳥獣浸入防止装置。
【発明の詳細な説明】
【０００１】
【発明の属する技術分野】
本発明は、猫やカラスなどの鳥獣の侵入を防止することができるごみ収納ボックス及び鳥獣進入防止装置に関する。
【０００２】
【従来の技術】
最近、多くの自治体では一定の地域ごとにごみ集積所を設け、そのごみ集積所に、自治体で用意したごみ収納ボックスを設置している。そして、ごみの収集日を決めて、所定の収集日ごとに、それぞれのごみ集積所をごみ収集車が巡回して、ごみ収納ボックスに収納されたごみの回収を行っている。
【０００３】
このようなごみ収集システムにおいては、通常、住民に対して、ごみを出すのは収集日の朝に限るといった注意事項が課せられている。これは、前日の夜からごみを出すと、猫やカラスなどの鳥獣によって、出されたごみが食い散らかされる虞があり、それを未然に防止するためである。
【０００４】
しかしながら、指定された日時にごみを出すことのできない住民もいることは確かであり、あまりに厳しい日時の指定がなされると住民にとっても不便であるのが実情である。そこで、ごみ収集ボックスを全面金網張りにし、かつ、蓋や扉や鍵を設けて、猫などの鳥獣の侵入を防ぐようにした自治体もある。
【０００５】
しかしながら、蓋や扉や鍵があると、ごみを出す住民側もごみを回収する側も、その都度、蓋や扉や鍵を開け閉めする必要があり、特に、回収時における作業性が悪くなる問題がある。
【０００６】
ところで、鳥獣の侵入を防ぐための威嚇装置として、従来から、超音波を用いたものが種々提案され実用化されている（例えば、特許文献１、特許文献２及び特許文献３参照。）。
【０００７】
このうち、特許文献１に記載された技術は、動物の侵入を赤外線センサで検知すると、犬猫の嫌う周波数の超音波を発振して犬猫を追い払うというもので、さらに、赤外線センサの検知範囲を可変できるというものである。
【０００８】
また、特許文献２に記載された技術は、天井裏や床下の鼠やイタチを赤外線センサで検知して、超音波を発振して追い払うものである。そして、この特許文献２では、さらに超音波を全方位に放射可能とすることによって、天井裏や床下など障害物の多い場所での動物撃退に効果を発揮できるようにしている。
【０００９】
また、特許文献３に記載された技術は、超音波発振手段だけでなく、水放出手段や光出力手段なども併用して小動物を撃退しようとするものである。
【００１０】
上述した特許文献１〜３に記載された技術は、いずれも赤外線センサなどによって撃退すべき小動物を検知し、小動物を検知するとその小動物の嫌う周波数（たとえば、猫であれば２５ＫＨｚ程度の周波数）を有する超音波の発振がなされる。
【００１１】
【特許文献１】
特開２００１−１９０２１１号公報（請求項１及び図１）
【特許文献２】
特開２００１−２０４３６３号公報（請求項１及び２、並びに図１、２及び３）
【特許文献３】
特開２００１−２５８４６５号公報（請求項１及び２、並びに図１及び図３）
【００１２】
【発明が解決しようとする課題】
しかしながら、これらの特許文献に記載された技術は、一般家庭用や砂場用などとして用いられる技術であるため、これらの技術をごみ収納ボックスに適用しても、望ましい鳥獣浸入防止効果は得られないという問題があった。
【００１３】
たとえば、ごみ収納ボックスの設置場所は、人通りの多い場所であるのが一般的であるため、人がごみ収納ボックスに近づいただけでむやみに赤外線センサが働いて超音波の発振動作がなされないようにしなければならないが、従来の技術では必ずしもこの要求に応えられないという問題があった。
【００１４】
また、公共の場所に設置されるごみ収集ボックスにおいては、周囲の騒音など様々な設置環境のもとで、進入しようとする鳥獣を確実に効果的に撃退させるために大きな威嚇効果が要求されるが、従来の技術では必ずしも十分な威嚇効果が得られないという問題があった。
【００１５】
本発明は、このような事情に鑑みてなされたもので、猫やカラスなどの鳥獣の侵入を効果的に防止することができるごみ収納ボックス及び鳥獣進入防止装置を提供することを目的とする。
【００１６】
【課題を解決するための手段】
（１）本発明のごみ収納ボックスは、内部にごみを収納可能なごみ収納部を備えたごみ収納ボックスであって、
前記ごみ収納部内に収納されたごみを狙う鳥獣を検知するセンサと、このセンサからの検知信号に基づいて鳥獣を威嚇する威嚇装置とをさらに備えたことを特徴とする。
【００１７】
このため、本発明のごみ収納ボックスによれば、ごみ収納部内に収納されたごみを狙う鳥獣を検知するセンサを備えているため、これらの鳥獣をより確実に撃退させることができ、生ごみなどが食い散らかされる虞も少なくなるので、ごみ出しの時間指定などを緩やかにすることもできる。また、このごみ収納ボックスは、蓋や扉を設ける必要もなくなるので、ごみを出す住民側にとってはごみ出しが容易となり、また、ごみを回収する回収者側にとっては作業性が向上するといった効果も得られる。
【００１８】
（２）本発明のごみ収納ボックスは、台座部と、この台座部上に設けられ少なくとも前面が開放されたごみ収納部とを備えたごみ収納ボックスであって、
前記ごみ収納部内に収納されたごみを狙う鳥獣を検知するセンサと、該センサからの検知信号に基づいて鳥獣を威嚇する威嚇装置とをさらに備え、
前記センサと前記威嚇装置とは、前記台座部に取り付けられていることを特徴とする。
【００１９】
このため、本発明のごみ収納ボックスによれば、前記センサと前記威嚇装置とは、ごみ収納部の下部に配置される台座部に取り付けられているので、ごみ収納ボックス内の生ごみなどに対して特に被害を及ぼす可能性の大きい猫などの小動物を、その侵入経路においてより確実に検知して、効果的に威嚇することができる。
【００２０】
（３）上記（２）に記載のごみ収納ボックスは、前記センサは、前記台座部に、地表面からの高さを異ならせてそれぞれの高さにおいて少なくとも１つずつ取り付けられ、これらそれぞれぞれの高さに取り付けられたそれぞれのセンサによる検知信号に基づいて前記威嚇装置の動作を制御するものであることが好ましい。
【００２１】
このように構成することにより、センサは台座部に異なった高さでそれぞれの高さごとに少なくとも１つずつ取り付けられることで、これら各センサの検知状態によって検知対象の種類を推定することが可能となる。このため、この推定の結果によって威嚇装置を動作させるか否かを判断することができ、威嚇の必要なときのみに威嚇動作を行うことができる。
【００２２】
たとえば、高い位置に取り付けられたセンサと低い位置に取り付けられたセンサのうち後者のみが対象物を検知した場合は、その対象物は犬又は猫であると推定して威嚇装置を動作させるようにする。一方、高い位置に取り付けられたセンサと低い位置に取り付けられたセンサとが、ともに対象物を検知した場合は、その対象物は人間であると推定して威嚇装置を動作させないようにする。このため、もともと威嚇の必要がない人間が検知されたときに無駄な威嚇しないようにするとともにエネルギーの節約を図っている。このような制御が可能となり、このような制御を行うことで、誤った威嚇動作をしないようにすることができる。これらのセンサの高さは威嚇させる動物の種類によって適宜決定することができる。
センサは、台座部の前面に取り付けることも好ましいが、台座部の前面から少し奥まった位置に取り付けることもまた好ましい。この場合には、台座部の前面に赤外線又は超音波を透過する材料のカバーを設置することが好ましい。
【００２３】
（４）上記（３）に記載のごみ収納ボックスは、前記センサは、前記台座部の横幅方向に沿って複数個取り付けられているものであることが好ましい。
【００２４】
このように構成することにより、前記台座部の横幅方向に沿って横方向に複数個のセンサを設けることによって、ゴミ収納部の前面の横幅方向全体を検知範囲とすることができ、開放面から進入しようとする猫などの存在をより一層確実に検知することができる。また、これらのセンサの検知信号を解析することにより、検知対象の動きの方向、スピード、パターンなどがわかり、検知対象の種類を一層正確に推定することができる。
【００２５】
（５）上記（２）〜（４）のいずれかに記載のごみ収納ボックスは、前記センサの他に、前記ごみ収納部の開放面及び／又は内部を検知範囲とする第２のセンサを備えたものであることが好ましい。
【００２６】
このように構成することにより、ごみ収納部に上方から侵入するカラスなどの鳥類もより確実に検知することができる。
【００２７】
（６）上記（２）〜（５）のいずれかに記載のごみ収納ボックスにおいては、前記威嚇装置は、前記台座部に取付けられているものであることが好ましい。
【００２８】
このように構成することにより、ごみ収納ボックスに特に被害を及ぼす猫などの小動物をその侵入経路において確実に検知するとともに、その侵入経路において効果的に威嚇することができる。
【００２９】
（７）上記（６）に記載のごみ収納ボックスにおいては、前記威嚇装置は、前記台座部の横幅方向に沿って複数個取り付けられていることが好ましい。
【００３０】
このように構成することにより、さらに威嚇の効力を発揮する。この場合、複数の威嚇装置を同時に動作させれば、威嚇効果が大きくなる。また、複数の威嚇装置を時間差を設けて動作させれば、威嚇効果を持続できる。また、複数の威嚇装置を時間差を設けてランダムに動作させれば、威嚇効果が大きくなる。さらにまた、複数の威嚇装置を検知対象の動きに対応させて動作させれば、威嚇効果がさらに大きくなる。
威嚇装置は、台座部の前面に取り付けることも好ましいが、台座部の前面から少し奥まった位置に取り付けることもまた好ましい。この場合には、台座部の前面に威嚇装置の威嚇に邪魔にならないようなカバーを設置することが好ましい。
【００３１】
（８）上記（１）〜（７）のいずれかに記載のごみ収納ボックスにおいては、前記威嚇装置は、威嚇対象とする鳥獣の嫌う周波数の超音波を発生する超音波発生装置であることが好ましい。
【００３２】
このように構成することにより、威嚇対象とする鳥獣をより確実に撃退させることができる。しかも、超音波は人間には聞こえないので、周辺に住む住民に悪影響を及ぼすこともない。超音波の音圧レベルとしては、所定の威嚇効果を得るためには１００ｄＢ以上の音圧レベルとするのが好ましい。また、超音波の周波数としては、威嚇対象が例えば猫の場合には、２５ＫＨｚ程度の周波数を有する超音波とするのが好ましい。
【００３３】
（９）上記（８）に記載のごみ収納ボックスにおいては、前記超音波発生装置は、複数種類の周波数の超音波を発振可能であることもまた好ましい。
【００３４】
このように構成することにより、複数種類の周波数の超音波を発振可能とすることで、複数種類の鳥獣に対応することができる。
【００３５】
（１０）上記（１）〜（７）のいずれかに記載のごみ収納ボックスにおいては、前記威嚇装置は、威嚇対象とする鳥獣の嫌う周波数の超音波を発生する超音波笛であることもまた好ましい。
【００３６】
この超音波笛は犬の調教などに用いる犬笛と同様の構造をしているが、さらに周波数の高い音波を発生することができるように構成されている。この超音波笛は、空気を吹き込む際に特に大きな音を出力するため、猫などを撃退する効果は極めて大きい。しかも、人間には聞こえないので、周辺に住む住民に悪影響を及ぼすこともない。超音波の音圧レベルとしては、所定の威嚇効果を得るためには１００ｄＢ以上の音圧レベルとするのが好ましい。また、超音波の周波数としては、威嚇対象が例えば猫の場合には、２５ＫＨｚ程度の周波数を有する超音波とするのが好ましい。
【００３７】
（１１）上記（１０）に記載のごみ収納ボックスにおいては、前記超音波笛は、圧縮空気発生器からの圧縮空気を受けて動作するものであることが好ましい。
【００３８】
このように構成することにより、超音波笛は、圧縮空気発生器からの圧縮空気を受けて効果的に超音波を出力することができる。圧縮空気発生器と超音波笛との間には蓄圧器が設置されていることが好ましい。このようにすれば、圧縮空気発生器は常時は運転休止状態にしておき、蓄圧器の圧力が所定圧力以下になったときに運転するようにできるので、省エネルギーであるとともに、騒音の発生を最低限のものにすることができる。
【００３９】
（１２）上記（１）〜（７）のいずれかに記載のごみ収納ボックスにおいては、前記威嚇装置は、威嚇対象とする鳥獣の嫌う周波数の超音波を発生するオルゴールであることもまた好ましい。
【００４０】
このように構成することにより、威嚇装置として超音波の発振が可能なオルゴールとすることによっても、威嚇対象とする鳥獣をより確実に撃退させることができ、しかも、人間には聞こえない音であるので、周辺に住む住民に悪影響を及ぼすこともない。超音波の周波数としては、威嚇対象が例えば猫の場合には、２５ＫＨｚ程度の周波数を有する超音波とするのが好ましい。
【００４１】
（１３）上記（８）又は（９）に記載のごみ収納ボックスは、前記超音波発生装置の他に、光発生手段、音声発生手段及び放水手段の少なくとも１つからなる第２の威嚇装置をさらに備えたものであることが好ましい。
【００４２】
このように構成することにより、より一層、多様な威嚇を行うことができ、威嚇対象となる鳥獣をより確実に撃退することができる。
【００４３】
（１４）上記（１）〜（１３）のいずれかに記載のごみ収納ボックスにおいては、前記センサは赤外線センサ又は超音波センサであることが好ましい。
【００４４】
赤外線センサは、生物が発生する赤外線を検知するもので、赤外線を発生しない障害物などには反応しないため、威嚇対象である猫やカラスなどの鳥獣をより確実に検知することができる。また、超音波センサは、生物で反射される超音波を検知するもので、威嚇対象である猫やカラスなどの鳥獣を効果的に検知することができる。
【００４５】
（１５）上記（１）〜（１４）のいずれかに記載のごみ収納ボックスは、商用電源を利用可能とする電源装置をさらに備えたものであることが好ましい。
【００４６】
このように構成することにより、１００ｄＢ以上の音圧レベルの超音波を十分に出力することができるため、猫などの撃退効果が大きい。
【００４７】
（１６）上記（１５）に記載のごみ収納ボックスは、太陽電池及び充電器をさらに備えたものでることが好ましい。
【００４８】
このように構成することにより、日中受ける太陽エネルギーを充電器に蓄えて、夜間の鳥獣浸入防止のための電力に充てることができるため、省エネルギーであるとともに、火力発電や原子力発電を代替する代替エネルギーの普及・啓蒙にも役立つ。
【００４９】
上記（１）〜（１６）のいずれかに記載のごみ収納ボックスは、さらに表示ボックスを備えたものであることが好ましい。このように構成することにより、町のメッセージボックスとして活用することが可能となる。このため、町などの行政機関からの諸連絡、町などの行政機関からのメッセージ、地元商店街の宣伝などを本発明のごみ収納ボックスを利用して行うことができる。
【００５０】
（１７）本発明の鳥獣浸入防止装置は、台座部と、この台座部に取り付けられたポールと、このポールの所定高さに取付けられた鳥獣浸入防止ユニットとを備え、
この鳥獣侵入防止ユニットは、ごみ収集場所に置かれたごみを狙う鳥獣を検知するセンサと、該センサからの検知信号に基づいて鳥獣を威嚇する威嚇装置とを有することを特徴とする。
【００５１】
このため、本発明の鳥獣浸入防止装置によれば、ごみ収納場所に置かれたごみを狙う鳥獣を検知するセンサを備えているため、これらの鳥獣をより確実に撃退させることができ、生ごみなどが食い散らかされる虞も少なくなるので、ごみ出しの時間指定などを緩やかにすることもできる。この鳥獣浸入防止装置は、ごみ収納ボックスのすぐ脇に設置することで、ごみ収納ボックスへの鳥獣浸入防止が図れるので、ごみ収納ボックスに蓋や扉や鍵を設ける必要もなくなり、ごみを出す住民側にとってはごみ出しが容易となり、また、ごみを回収する回収者側にとっては作業性が向上するといった効果が得られる。また、この鳥獣浸入防止装置は、路上のごみ収納場所にごみを置いてごみ収集を行うごみ収集システムの場合にも有効である。
【００５２】
この鳥獣浸入防止装置においては、センサはの検知範囲をごみの置かれる場所に設定し、威嚇装置の威嚇範囲をごみの置かれる場所に設定する。通常は、ごみの置かれる場所の上方１〜３ｍのところに鳥獣浸入防止ユニットを配置するのが好ましい。
【００５３】
（１８）上記（１７）に記載の鳥獣浸入防止装置においては、前記威嚇装置は、威嚇対象とする鳥獣の嫌う周波数の超音波を発生する超音波発生装置であることが好ましい。
【００５４】
このように構成することにより、威嚇対象とする鳥獣をより確実に撃退させることができる。しかも、超音波は人間には聞こえないので、周辺に住む住民に悪影響を及ぼすこともない。超音波の音圧レベルとしては、１００ｄＢ以上の音圧レベルとするのが好ましい。また、超音波の周波数としては、威嚇対象が例えば猫の場合には、２５ＫＨｚ程度の周波数を有する超音波とするのが好ましい。
【００５５】
（１９）上記（１８）に記載の鳥獣浸入防止装置においては、前記超音波発生装置は、複数種類の周波数の超音波を発振可能であることが好ましい。
【００５６】
このように構成することにより、複数種類の周波数の超音波を発振可能とすることで、複数種類の鳥獣に対応することができる。
【００５７】
（２０）上記（１７）に記載の鳥獣浸入防止装置においては、前記威嚇装置は、威嚇対象とする鳥獣の嫌う周波数の超音波を発生する超音波笛であることが好ましい。
【００５８】
この超音波笛は犬の調教などに用いる犬笛と同様の構造をしているが、さらに周波数の高い音波を発生することができるように構成されている。この超音波笛は、空気を吹き込む際に特に大きな音を出力するため、猫などを撃退する効果は極めて大きい。しかも、人間には聞こえないので、周辺に住む住民に悪影響を及ぼすこともない。
【００５９】
（２１）上記（２０）に記載の鳥獣浸入防止装置においては、前記超音波笛は、圧縮空気発生器からの圧縮空気を受けて動作することが好ましい。
【００６０】
このように構成することにより、超音波笛は、圧縮空気発生器からの圧縮空気を受けて効果的に超音波を出力することができる。圧縮空気発生器と超音波笛との間には蓄圧器が設置されていることが好ましい。このようにすれば、圧縮空気発生器は常時は運転休止状態にしておき、蓄圧器の圧力が所定圧力以下になったときのみに運転するようにできるので、省エネルギーであるとともに、騒音の発生を最低限のものにすることができる。。
【００６１】
（２２）上記（１７）に記載の鳥獣浸入防止装置においては、前記威嚇装置は、威嚇対象とする鳥獣の嫌う周波数の超音波を発生するオルゴールであることもまた好ましい。
【００６２】
このように構成することにより、威嚇装置として超音波の発振が可能なオルゴールとすることによっても、威嚇対象とする鳥獣をより確実に撃退させることができ、しかも、人間には聞こえない音であるので、周辺に住む住民に悪影響を及ぼすこともない。
【００６３】
（２３）上記（１８）又は（１９）に記載の鳥獣浸入防止装置は、前記超音波発生装置の他に、光発生手段、音声発生手段及び放水手段の少なくとも１つからなる第２の威嚇装置をさらに備えたものであることが好ましい。
【００６４】
このように構成することにより、より一層、多様な威嚇を行うことができ、威嚇対象となる鳥獣をより確実に撃退することができる。
【００６５】
（２４）上記（１７）〜（２３）のいずれかに記載のごみ収納ボックスにおいては、前記センサは赤外線センサであることが好ましい。
【００６６】
この赤外線センサは、生物などが発生する赤外線を検知するもので、赤外線を発生しない障害物などには反応しないため、威嚇対象である猫やカラスなどの鳥獣をより確実に検知することができる。
（２５）上記（１７）〜（２４）に記載の鳥獣浸入防止装置は、商用電源を利用可能とする電源装置をさらに備えたものであることが好ましい。
【００６７】
このように構成することにより、１００ｄＢ以上の音圧レベルの超音波を十分に出力することができるため、猫などの撃退効果が大きい。
【００６８】
（２６）上記（２５）に記載の鳥獣浸入防止装置は、太陽電池及び充電器をさらに備えたものであることが好ましい。
【００６９】
このように構成することにより、日中受ける太陽エネルギーを充電器に蓄えて、夜間の鳥獣浸入防止のための電力に充てることができるため、省エネルギーであるとともに、火力発電や原子力発電を代替する代替エネルギーの普及・啓蒙にも役立つ。
【００７０】
【発明の実施の形態】
以下、本発明の鳥獣進入防止装置を備えたごみ収納ボックスの実施の形態について説明する。なお、以下の実施の形態では、進入防止を図るために威嚇対象とする鳥獣は主に猫であるとして説明する。
【００７１】
〔実施形態１〕
図１は、本発明の実施形態１に係るごみ収納ボックスの外観構成を示すものであり、（ａ）は正面図、（ｂ）は側面図である。図１に示されるように、このごみ収納ボックス１は、地表面２に設置される台座部３と、この台座部３上に設けられ前面が開放されたごみ収納部４と、台座部３に設けられた鳥獣進入防止装置５（詳細は後述する）とを備えた構成となっている。
【００７２】
ごみ収納部４は、ごみ６を内部に収納したり収納されたごみ６を回収したりするための開放面４１がその正面側に形成され、側面と背面にはたとえば金網４２などが張り巡らされ、さらに、上端面には雨や雪などがごみ収納部２内に入るのを防止するための屋根４３が設けられた構造となっている。
【００７３】
なお、このごみ収納部４は、この図１に示されるような構造に限られるものではなく、たとえば、側面や背面は金網ではなく板張りあってもよく、要は、ごみ６を内部に収納したり収納されたごみを回収したりすることのできる開放面４１を有する箱体状のものであればよいので、その外観や用いられている材料などは特に限定されるものではない。
【００７４】
台座部３は、地表面２から数１０センチメートルの高さを有し、その正面側（前面）の高さ方向のほぼ中央部には、威嚇装置としての複数個の超音波発振子５１が開放面４１の横幅方向に沿って複数個並べて設けられている。
【００７５】
また、この超音波発振子５１の上側には、猫などの鳥獣を検知するセンサとして、生き物の発生する赤外線を検知してその検知信号を出力する赤外線センサ（以下、上段側の赤外線センサ５２ａという）が超音波発振子５１と同様、開放面４１の横幅方向に沿って複数並べて設けられ、超音波発振子５１の下側には、赤外線センサ（以下、下段側の赤外線センサ５２ｂという）が開放面の横幅方向に沿って複数並べて設けられている。
【００７６】
なお、ここで用いられる超音波発振子５１は、猫などが嫌う２５ＫＨｚ程度の周波数の超音波を発振するように設定されている。また、その超音波の音の強さは１００ｄＢ程度となるように設定されている。
【００７７】
この１００ｄＢという音は、音の大きさとしては耐えられないような大きな音であるが、周波数が２５ＫＨｚといった人間の可聴周波数範囲から外れた周波数であるので、たとえ１００ｄＢといった大きな音であってもその音は人間には聞こえない。
【００７８】
したがって、本発明のごみ収納ボックス１の設置場所の近くに住んでいる住民や、そのごみ収集ボックス１の近傍を通る人間には、たとえ、超音波発振子から超音波が発せられていても、それを感じることはない。
【００７９】
また、台座部３内部には超音波発振子５１の発振を制御する超音波発振制御部５３（図２参照）が設けられている。
【００８０】
図２は、鳥獣進入防止装置５の構成を示すブロック図であり、上述した複数の超音波発振子５１、上段側の赤外線センサ５２ａ、下段側の赤外線センサ５２ｂ、超音波発振制御部５３を有した構成となっているが、この鳥獣進入防止装置の動作については後に詳細に説明する。
【００８１】
赤外線センサは、図１からもわかるように、超音波発振子５１を中心にして、その上側には上段側の赤外線センサ５２ａが横一列に配置され、その下側には下段側の赤外線センサ５２ｂが横一列に配置されるというように上下段の配置となっているが、これは、威嚇対象をたとえば猫とした場合、猫とそれよりも大きな動物（たとえば、人間）を識別できるようにするためである。
【００８２】
すなわち、下段側の赤外線センサ５２ｂの設置位置を地表面２からたとえば１０センチメートル程度とし、上段側の赤外線センサ５２ａの設置位置を地表面２からたとえば５０センチメートル程度とし、上段側の赤外線センサ５２ａと下段側の赤外線センサ５２ｂの検知動作状態によって、検知対象が猫であるかそれ以外の生物であるかを識別して、それに応じた超音波発振制御を行うようにする。
【００８３】
たとえば、下段側の赤外線センサ５２ｂの少なくとも１つが何らかの対象物を検知し、かつ、上段側の赤外線センサ５２ａの少なくとも１つが何らかの対象物を検知したとすれば、それは背丈の高い生物（たとえば、人間）とみなし、威嚇対象となる猫ではないと判断して、超音波発振は行わない。また、下段側の赤外線センサ５２ｂの少なくとも１つが対象物を検知した場合（上段側の赤外線センサ５２ａはいずれも反応せず）は、猫などの鳥獣であるとみなして超音波発振を行う。
【００８４】
また、上段の赤外線センサ５２ａの少なくとも１つが対象物を検知した場合（下段側の赤外線センサ５２ｂはいずれも反応せず）も、猫など鳥獣であるとみなして超音波発振を行う。このように、下段側の赤外線センサ５２ｂはいずれも反応せず、上段側の赤外線センサ５２ａの少なくとも１つが対象物を検知する例としては、たとえば、猫の場合、ジャンプしてゴミ収納部４に侵入しようとした場合などが考えられる。
【００８５】
このように、上段側の赤外線センサ５２ａと下段側の赤外線センサ５２ｂのそれぞれ少なくとも１つの赤外線センサが同時に対象物を検知した場合には、超音波発振を行わず、上段側の赤外線センサ５２ａと下段側の赤外線センサ５２ｂのいずれか一方の段の少なくとも１つの赤外線センサが対象物を検知した場合には超音波発振を行う。すなわち、超音波を発振させる条件（これをここでは超音波発振条件という）は、上段側の赤外線センサ５２ａと下段側の赤外線センサ５２ｂのいずれか一方の段の少なくとも１つの赤外線センサが対象物を検知したときである。
【００８６】
このような赤外線センサ（上段側赤外線センサ５２ａ、下段側の赤外線センサ５２ｂ）の検知動作に応じた超音波発振制御、すなわち、上述した超音波発振条件を満たすか否かの判断や、その判断結果に応じて、どのような超音波発振を行うかなどは、図２で示した超音波発振制御部５３が予め設定された制御内容に基づいて行うもので、これは、論理回路の組み合わせや簡単な演算回路などを用いた情報処理技術によって容易に実現できる。
【００８７】
ところで、この実施形態１で用いる超音波振動子５１は、前述したように、２５ＫＨｚ程度の周波数であってその音の大きさは１００ｄＢ程度としている。これは、人間には聞こえないが、猫にとっては嫌いな周波数の音が耐えられないような極めて大きな音として聞こえる。
【００８８】
このように、１００ｄＢ程度の大きな音を発するには、十分な電圧を有する電源が必要となるが本発明の鳥獣進入防止装置を備えたごみ収納ボックスは、主に自治体が設置するものであるため、電源としては、乾電池などの低電圧電源を用いるのではなく、１００ボルト電源を用いてそれを所定の電圧に変圧して用いることができるので、１００ｄＢ程度の音を出すことは十分可能となる。
【００８９】
また、上述した超音波発振条件を満たす状態となったときの超音波発振制御部５３による超音波発振子５１の制御の具体例としては、たとえば、すべての超音波発振子５１を同時に動作させるようにすることは勿論、超音波振動子５１をたとえば左端側から順番に１つずつ動作させるようにしたり、１つ置きに順番に動作させるようにしたり、乱数などを用いて順番をその都度設定して、設定された順番に従って動作させるようにしたり、任意の幾つかを同時に動作させるようにしたり、また、センサの検知信号に従って猫などの動きを追って動作するようにしたりなど種々考えられる。
【００９０】
また、超音波振動子５１の動作時間（超音波発振動作時間）も種々設定可能である。たとえば、超音波発振条件を満たす状態となっている間、すなわち、上段側の赤外線センサ５２ａと下段側の赤外線センサ５２ｂのいずれか一方の段の少なくとも１つのセンサが対象物を検知している間は、猫などがその場に存在すると判断し、少なくともその間は超音発振子５１を動作し続けるようにすることも可能であるし、超音波発振条件を満たす状態となってから、一定時間の間は超音波発振子を動作させ、その一定時間が過ぎたら動作を停止するといったことも可能である。なお、このとき、その一定時間経過しても猫などがその場に存在して超音波発振条件を満たす状態となっていれば超音波発振子の動作状態を保持するような設定とする。
【００９１】
以上説明した実施形態１では、ごみ収納ボックス１の台座部３の正面側に、上下段に配列された赤外線センサ（上段側の赤外線センサ５２ａと下段側の赤外線センサ５２ｂ）と、超音波振動子５１とを設け、上段側の赤外線センサ５２ａと下段側の赤外線センサ５２ｂのいずれか一方の段の少なくとも１つの赤外線センサが対象物を検知したときのみに超音波振動子５１を動作させるようにしている。
【００９２】
これによって、たとえば、猫などがごみ収納部４の台座部３に近づいたときのみに超音波発振を行うことができ、人間などが近くを通ったり、ごみを捨てに来たときには超音波発振はなされないので、無駄な超音波発信動作を行わなくてすむ。
【００９３】
また、超音波発振子５１の発振動作は、前述したように、すべてを同時に発振させたり、１つずつ順番に発振させたりするというように、多様な設定が可能であるので、最も効果の高い発振動作を選択することができる。また、猫などがそれに慣れてきた場合には、適宜変更することもできるので、長期間効果を持続することが出来る。
【００９４】
また、この実施形態１において、赤外線センサは、図１で示したような台座部３に上段側の赤外線センサ５２ａと下段側の赤外線センサ５２ｂとして設けられているが、これだけではなく、他の場所にも取り付けることもできる。
【００９５】
たとえば、図３に示すように、開放面４１を形成する枠体のうちの上端部側の枠体４４に必要な数（図３では３個としている）の赤外線センサ５４を取り付け、主に下方からの赤外線を検知するようにすれば、ごみ収納場所の開放面４１や内部を検知範囲とすることができる。
【００９６】
これによって、ごみ収納部の開放面４１や内部が赤外線センサ５４の検知範囲となり、たとえば、猫が高くジャンプして、台座部３に設けられた赤外線センサ（上段側の赤外線センサ５２ａと下段側の赤外線センサ５２ｂ）によって検知されなかった場合でも、開放面４１の通過時に赤外線センサ５４によって検知することができるので、より確実に超音波を発振させることができる。
【００９７】
また、このように、開放面４１を検知範囲とする赤外線センサ５４を設けることにより、猫だけでなく、開放面４１に直接飛び込んでくるカラスなどにも有効なものとなる。
【００９８】
また、この実施形態１において、超音波発振子は、図１で示したような台座部３に超音波発振子５１として取り付けられているが、これだけでなく、他の場所にも取り付けることもできる。
【００９９】
たとえば、図３に示すように、開放面４１を形成する枠体のうちの上端部側の枠体４４に必要な数（図３では２個としている）の超音波発振子５５を取り付け、主に下方に向かって超音波を出力すれば、超音波は開放面４１のほぼ全面をカバーすることができる。
【０１００】
また、このように、ごみ収納部の開放面４１内部をカバーする超音波発振子５５を設けることにより、猫だけでなく、開放面４１に直接飛び込んでくるカラスなどにも有効なものとなる。
【０１０１】
また、図１の例では台座部３の前面側に赤外線センサ（上段側の赤外線センサ５２ａと下段側の赤外線センサ５２ｂ）や超音波発振子５１を設けるようにしたが、前面側であると、人目につき易く、いたずらされる可能性もあることから、これら赤外線センサ（上段側の赤外線センサ５２ａと下段側の赤外線センサ５２ｂ）や超音波発振子５１は、人目につきにくい位置として、たとえば、台座部３の奥まった位置に取り付けるようにしてもよい。
【０１０２】
その場合、赤外線センサ（上段側の赤外線センサ５２ａと下段側の赤外線センサ５２ｂ）と超音波発振子５１の両方を奥まった位置に取り付けるようにしてもよいが、赤外線センサ（上段側の赤外線センサ５２ａと下段側の赤外線センサ５２ｂ）だけを奥まった位置に取り付けるようにしてもよい。なお、このとき、台座部３の前面側は開放としてもよいし、赤外線や超音波を透過可能な何らかの部材で覆うようにしてもよい。
【０１０３】
また、前述の説明では超音波振動子５１は猫の嫌う２５ＫＨｚ程度の周波数を発振するものとして説明したが、この実施形態１の例では、超音波振動子５１が複数設けられているので、すべてを同じ周波数とする必要はなく、色々な鳥獣の嫌う複数種類の周波数を選んで、それぞれの超音波振動子５１においてそれぞれ設定された周波数の超音波を発振できるようにしてもよい。
【０１０４】
これによって、猫だけでなく、鼠、犬、カラスなどごみ捨て場に集まると考えられる多様な鳥獣の威嚇に有効なものとすることができる。
【０１０５】
また、上段側の赤外線センサ５２ａと下段側の赤外線センサ５２ｂはそれぞれ複数個ずつ設けるようにしたが、ごみ収納部４の開放面４１の間口がそれほど広くなければ、上段側と下段側それぞれ１個ずつでもよい場合もある。また、超音波発振子５１も同様であり、複数個設ける必要は必ずしもなく、場合によっては１つであってもよい。また、これら上段側の赤外線センサ５２ａ、下段側の赤外線センサ５２ｂ、超音波発振子５１の取り付け位置も上述した例に限られるものではない。
【０１０６】
実施形態１に係るごみ収納ボックス１は、商用電源を利用可能とする電源装置をさらに備えたものである。このため、１００ｄＢ以上の音圧レベルの超音波を十分に出力することができるため、猫などの撃退効果が大きい。
【０１０７】
また、実施形態１に係るごみ収納ボックス１は、太陽電池及び充電器をさらに備えたものであることが好ましい。このため、日中受ける太陽エネルギーを充電器に蓄えて、夜間の鳥獣浸入防止のための電力に充てることができるため、省エネルギーであるとともに、火力発電や原子力発電を代替する代替エネルギーの普及・啓蒙にも役立つ。
【０１０８】
〔実施形態２〕
この実施形態２では鳥獣に対する威嚇装置として超音波発振子以外の手段を用いた例について説明する。なお、この実施形態２においては、鳥獣（ここでも主として猫を例にとる）の検知手段は実施形態１同様、赤外線センサを用いるがその赤外線センサの配置や検知動作については特に限定されるものではなく、要は、猫を検知してその検知信号を出力できればよい。
【０１０９】
したがって、ごみ収納ボックスも実施形態１で説明した構造に限らず、少なくとも１面にごみの収納・回収の可能な開放面が設けられているようなごみ収納ボックスであればどのようなものであってもよい。なお、この実施形態２ではごみ収納ボックスの図示は省略する。
【０１１０】
この実施形態２に係るごみ収納ボックスにおいては、威嚇装置として超音波笛なるものを使用する。この超音波笛は犬の調教などに用いられている犬笛と同様の構造をしている。犬笛は人間が口で吹いて音を発するものであるが、この実施形態２の超音波笛は圧縮空気発生装置（コンプレッサという）によって圧縮空気を送ることによって音を発するような構造としている。この超音波笛は、猫などが嫌う２５ＫＨｚ程度の超音波を発生するようにして用いる。
【０１１１】
図４は、この実施形態２における鳥獣進入防止装置を備えたごみ収納ボックスに用いられる鳥獣進入防止装置の構成を示すブロック図である。図４に示されるように、この鳥獣浸入防止装置は、超音波笛６１とこの超音波笛６１に空気流通管６２を介して圧縮空気を送るコンプレッサ６３と、空気流通管６２の中途部に設けられ圧縮空気の流通を制御する空気流通弁６４と、この空気流通弁６４の開閉を制御するための信号を出力する赤外線センサ６５と、この赤外線センサ６５からの信号を受けて、空気流通弁６４の開閉制御を行う空気流通弁制御部６６と有している。なお、超音波笛６１は１つであってもよく、また、複数個設けるようにしてもよい。赤外線センサ６５も同様に１つであってもよく、また、複数個設けるようにしてもよい。
【０１１２】
空気流通弁制御部６６は、赤外線センサ６５から検知信号（猫などを検知したことを示す信号）が出力されない状態においては空気流通弁６４を閉とし、赤外線センサ６５からの検知知信号を受け取ると、空気流通弁６４を開とするものであるが、空気流通弁６４を単に開閉制御するだけではなく、空気流通弁を開とする際、様々な開状態の設定を可能としている。この実施形態２では、断続的にごく短い時間だけ繰り返し空気流通弁を開くような制御を行う。
【０１１３】
また、この実施形態２に用いられる赤外線センサ６５は、ごみ収納ボックス（この実施形態２では図示せず）のどこに取り付けてもよいが、ごみ収納ボックス内に進入しようとする猫などを最もよく検知できる位置に取り付けられているものであることが好ましい。
【０１１４】
このような構成において、赤外線センサ６５が猫などを検知して、その検知信号が空気流通弁制御部６６に与えられると、空気流通弁制御部６６では、空気流通弁６４を断続的にごく短い時間だけ開くような制御を行う。
【０１１５】
これによって、コンプレッサ６３からの圧縮空気は断続的にごく短い時間だけ超音波笛６１に与えられるので、超音波笛６１からは超音波が断続的に発せられる。これによっても鳥獣に対する威嚇装置として十分な効果を発揮し、ごみ収納ボックスに猫などが侵入するのをより確実に防止することができる。
【０１１６】
実施形態２においては、コンプレッサ６３と空気流通弁６４との間には蓄圧器厚き（図示せず）が設けられていることもまた好ましい。このようにすれば、圧縮空気発生器は常時は運転休止状態にしておき、蓄圧器の圧力が所定圧力以下になったときにのみ運転するようにできるので、省エネルギーであるとともに、コンプレサの運転に伴って発生する騒音を最低限のものにすることができる。。
【０１１７】
なお、威嚇装置として、このような超音波笛６１を用いる場合、猫などを検知するための赤外線センサ６５は、実施形態１の説明で用いた図１に示される赤外線センサ（上段側の赤外線センサ５２ａ、下段側の赤外線センサ５２ｂ）であってもよく、この場合は、実施形態１で説明したように、上段側の赤外線センサ５ａ、下段側の赤外線センサ５ｂのいずれか一方の段の少なくとも１つのセンサが対象物を検知したことを示す信号を空気流通弁制御部６６が受けて、空気流通弁６４を開閉制御するようにすればよい。
【０１１８】
すなわち、図１の構成要素において、威嚇装置としての超音波発振子５１の代わりに超音波笛６１を用いてもよく、あるいは、超音波発振子５１と超音波笛６１の両方を威嚇装置として用いるようにしてもよい。
【０１１９】
また、この実施形態２における威嚇装置としては、超音波笛６１の他にたとえばオルゴール（図示せず）なども用いることができる。この場合、超音波を発するようにオルゴールを改造する（振動片を堅くしたり短くしたりする。）。威嚇装置としてオルゴールを用いる場合も、超音波笛６１と同様に、赤外線センサからの検知信号が出力されると、その検知信号をオルゴール制御部（図示せず）が受け取って、予め設定された制御内容に基づいてオルゴールを動作させるようにすればよく、どのように動作させるかは種々設定可能である。
【０１２０】
これによっても、たとえば、ごみ収納ボックスに近づいた猫などを赤外線センサが検知すると、その検知信号によってオルゴールが動作し、超音波が発せられるので、猫などに対する威嚇装置として十分な効果を発揮する。
【０１２１】
さらに、実施形態２における威嚇装置としては、赤外線センサからの検知信号によって光を発する光発生手段（図示せず）を設けたり、放水する放水手段（図示せず）を設けたり、音声を発する音声発生手段（図示せず）を設けたりしてもよい。
【０１２２】
なお、これらオルゴール、光発生手段、音声発生手段、放水手段を設けた場合であっても、超音波笛と同様、赤外線センサは、実施形態１の説明で用いた図１に示される赤外線センサ（上段側の赤外線センサ５２ａ、下段側の赤外線センサ５２ｂ）を用いることもでき、この場合は、実施形態１で説明したように、上段側の赤外線センサ５２ａ、下段側の赤外線センサ５２ｂのいずれか一方の段の少なくとも１つのセンサが対象物を検知したことを示す信号によってオルゴール、光発生手段、放水手段、音声発生手段などを制御すればよい。
【０１２３】
前述の実施形態１では、ごみ収納ボックス１において、赤外線センサを上下２段に設けて、威嚇対象とする猫などを的確に識別できるようにすることを特徴の１つとし、また、実施形態２では、赤外線センサの配置などについては特に限定せず、威嚇装置として超音波笛など多様な手段を用いることを特徴の１つとしているとしているが、この実施形態１と実施形態２を適宜組み合せることも可能である。この実施形態１と実施形態２を組み合わせることによって、上下２段の赤外線センサ（上段側の赤外線センサ５２ａと下段側の赤外線センサ５２ｂ）によって、威嚇対象をより確実に識別でき、しかも、多様な威嚇装置で威嚇することができる。これによって、猫だけでなく様々な鳥獣をより効果的に撃退させることができる。
【０１２４】
〔実施形態３〕
図５は、本発明の実施形態３に係る鳥獣浸入防止装置の外観構成を示すものであり、（ａ）は正面図、（ｂ）は側面図である。図５に示されるように、この鳥獣浸入防止装置７０は、台座部７１と、この台座部７１に取り付けられたポール７２と、このポール７２の所定高さに取付けられた鳥獣浸入防止ユニット７５とを備えている。そして、この鳥獣侵入防止ユニット７５は、ごみ収集場所に置かれたごみを狙う鳥獣を検知するセンサ７３と、該センサ７３からの検知信号に基づいて鳥獣を威嚇する威嚇装置７４とを有している。
【０１２５】
このため、実施形態３に係る鳥獣浸入防止装置７０によれば、ごみ収納場所に置かれたごみを狙う鳥獣を検知するセンサ７３の働きにより、これらの鳥獣をより確実に撃退させることができ、生ごみなどが食い散らかされる虞も少なくなるので、ごみ出しの時間指定などを緩やかにすることもできる。また、この鳥獣浸入防止装置７０によれば、ごみ収納ボックスのすぐ脇に設置することで、ごみ収納ボックスに蓋や扉や鍵を設ける必要もなくなるので、ごみを出す住民側にとってはごみ出しが容易となり、また、ごみを回収する回収者側にとっては作業性が向上するといった効果が得られる。この鳥獣浸入防止装置７０は、図３に示されるように、路上のごみ収納場所にごみを置いてごみ収集を行うごみ収集システムの場合にも有効である。
【０１２６】
実施形態３に係る鳥獣浸入防止装置７０においては、センサ７３の検知範囲をごみの置かれる場所に設定し、威嚇装置７４の威嚇範囲をごみの置かれる場所に設定する。通常は、ごみの置かれる場所の上方１〜３ｍのところに鳥獣浸入防止ユニットを配置するのが好ましい。
【０１２７】
実施形態３に係る鳥獣浸入防止装置７０においては、威嚇装置７４は、威嚇対象とする鳥獣の嫌う周波数の超音波を発生する超音波発生装置である。このため、威嚇対象とする鳥獣をより確実に撃退させることができる。しかも、超音波は人間には聞こえないので、周辺に住む住民に悪影響を及ぼすこともない。超音波の音圧レベルとしては、１００ｄＢ以上の音圧レベルとするのが好ましい。また、超音波の周波数としては、威嚇対象が例えば猫の場合には、２５ＫＨｚ程度の周波数を有する超音波とするのが好ましい。
【０１２８】
実施形態３に係る鳥獣浸入防止装置７０においては、超音波発生装置７４は、複数種類の周波数の超音波を発振可能であるものとすることもできる。このようにすれば、複数種類の周波数の超音波を発振可能とすることで、複数種類の鳥獣に対応することができる。
【０１２９】
実施形態３に係る鳥獣浸入防止装置７０においては、威嚇装置７４として、威嚇対象とする鳥獣の嫌う周波数の超音波を発生する超音波笛を採用することもできる。この超音波笛は実施形態２で説明した超音波笛と同様のものを用いることができる。
【０１３０】
実施形態３に係る鳥獣浸入防止装置７０においては、威嚇装置７４として、威嚇対象とする鳥獣の嫌う周波数の超音波を発生するオルゴールを採用することもできる。このオルゴールも実施形態２で説明したオルゴールと同様のものを用いることができる。
【０１３１】
実施形態３に係る鳥獣浸入防止装置７０は、超音波発生装置の他に、光発生手段、音声発生手段及び放水手段の少なくとも１つからなる別の威嚇装置をさらに備えたものとすることもできる。このようにすれば、より一層、多様な威嚇を行うことができ、威嚇対象となる鳥獣をより確実に撃退することができる。
【０１３２】
実施形態３に係る鳥獣浸入防止装置７０においては、センサ７３は赤外線センサである。この赤外線センサは、生物などが発生する赤外線を検知するもので、赤外線を発生しない障害物などには反応しないため、威嚇対象である猫やカラスなどの鳥獣をより確実に検知することができる。
【０１３３】
実施形態３に係る鳥獣浸入防止装置７０は、商用電源を利用可能とする電源装置をさらに備えたものである。このため、１００ｄＢ以上の音圧レベルの超音波を十分に出力することができるため、猫などの撃退効果が大きい。
【０１３４】
実施形態３に係る鳥獣浸入防止装置７０は、太陽電池７７及び充電器（図示せず。）をさらに備えたものである。このため、日中受ける太陽エネルギーを充電器に蓄えて、夜間の鳥獣浸入防止のための電力に充てることができるため、省エネルギーであるとともに、火力発電や原子力発電を代替する代替エネルギーの普及・啓蒙にも役立つ。
【０１３５】
なお、本発明は上述の各実施形態に限られるものではなく、本発明の要旨を逸脱しない範囲で種々変形実施可能となるものである
【０１３６】
【発明の効果】
以上説明したように本発明のごみ収納ボックスによれば、内部にごみを収納可能なごみ収納部を備えたごみ収納ボックスであって、前記ごみ収納部内に収納されたごみを狙う鳥獣を検知するセンサと、このセンサからの検知信号に基づいて鳥獣を威嚇する威嚇装置とをさらに備えている、このため、ごみ収納部に侵入しようとする鳥獣をより確実に撃退させることができ、生ごみなどが食い散らかされる虞も少なくなるので、ごみ出しの時間指定などを緩やかにすることもできる。また、このようなごみ収納ボックスは、ふたや扉を設ける必要もなくなるので、ごみを出す住民側にとってはごみ出しが容易となり、また、ごみを回収する回収者側にとっては作業性が向上するといった効果が得られる。
【０１３７】
また、本発明のごみ収納ボックスにおいては、鳥獣を威嚇する威嚇装置としての超音波発生器（超音波発振子）を複数個設けることを可能とし、それによって、さまざまな周波数の超音波の発振を可能としているので、多種の鳥獣に有効なものとなる。また、威嚇装置としては、超音波発生器の他に、多種の威嚇装置を用いることも可能としているので、より効果的に鳥獣を威嚇することができ、生ごみなどを狙ってごみ収納ボックスに集まる鳥獣がごみ収納部へ侵入するのをより確実に防止することができる。
【０１３８】
さらにまた、本発明の鳥獣浸入防止装置によれば、台座部と、この台座部に取り付けられたポールと、このポールの所定高さに取付けられた鳥獣浸入防止ユニットとを備え、この鳥獣侵入防止ユニットは、ごみ収集場所に置かれたごみを狙う鳥獣を検知するセンサと、該センサからの検知信号に基づいて鳥獣を威嚇する威嚇装置とを有している。このため、これらの鳥獣をより確実に撃退させることができ、生ごみなどが食い散らかされる虞も少なくなるので、ごみ出しの時間指定などを緩やかにすることもできる。この鳥獣浸入防止装置は、ごみ収納ボックスのすぐ脇に設置することで、ごみ収納ボックスへの鳥獣浸入防止が図れるので、ごみ収納ボックスに蓋や扉や鍵を設ける必要もなくなり、ごみを出す住民側にとってはごみ出しが容易となり、また、ごみを回収する回収者側にとっては作業性が向上するといった効果が得られる。この鳥獣浸入防止装置は、路上のごみ収納場所にごみを置いてごみ収集を行うごみ収集システムの場合にも有効である。
【図面の簡単な説明】
【図１】本発明の実施形態１に係るごみ収納ボックスの概観図であり、（ａ）は正面図、（ｂ）は側面図である。
【図２】実施形態１において用いられる鳥獣進入防止装置の構成を示すブロック図である。
【図３】図１において赤外線センサ及び超音波発振子を他の位置にも取り付けた例を説明する図である。
【図４】本発明の実施形態２に係るごみ収納ボックスを説明する図であり、威嚇装置として超音波笛を用いた場合の鳥獣進入防止装置の構成を示すブロック図である。
【図５】本発明の実施形態３に係る鳥獣浸入防止装置の外観図であり、（ａ）は正面図、（ｂ）は側面図である。
【符号の説明図】
１　ごみ収集ボックス
２　地表面
３　台座部
４　ゴミ収納部
５　鳥獣侵入防止装置
４１　開放面
５１　超音波発振子
５２ａ　上段側の赤外線センサ
５２ｂ　下段側の赤外線センサ
６１　超音波笛
６２　空気流通管
６３　コンプレッサ
６４　空気流通弁
６５　赤外線センサ
６６　空気流通弁制御部
７０　鳥獣浸入防止装置
７１　台座部
７２　ポール
７３　赤外線センサ
７４　超音波発振子
７５　鳥獣浸入防止ユニット
７７　太陽電池パネル
【図１】
2004135525.tif 000003
【図２】
2004135525.tif 000004
【図３】
2004135525.tif 000005
【図４】
2004135525.tif 000006
【図５】
2004135525.tif 000007